(57)【要約】【課題】良好な装用感が得られる補聴システムを提供する。【解決手段】マイク４１で集音することにより得られた音信号を無線信号として送信する携行可能なマイク付無線送信機４０と、携行可能なヘッドセット１とを備え、ヘッドセット１は、マイク付無線送信機４０からの無線信号を受信して音信号を再生する無線受信機１０と、無線受信機１０で再生された音信号に基づいて駆動される左骨伝導スピーカ２０ａ及び右骨伝導スピーカ２０ｂとを備えている。【選択図】      図１
2004343446.tif 000002
【特許請求の範囲】
【請求項１】
マイクロフォンで集音することにより得られた音信号を無線信号として送信する携行可能なマイク付無線送信機と、
携行可能なヘッドセットとを備え、
前記ヘッドセットは、
前記マイク付無線送信機からの無線信号を受信して音信号を再生する無線受信機と、
前記無線受信機で再生された音信号に基づいて駆動される骨伝導スピーカとを備えることを特徴とする補聴システム。
【請求項２】
情報ソース機器からの音信号を無線信号として前記無線受信機に送信する情報送信機を更に備えることを特徴とする請求項１記載の補聴システム。
【請求項３】
前記骨伝導スピーカは、前記無線受信機で再生された音信号に応じて形状が変位する超磁歪素子により振動することを特徴とする請求項１又は請求項２記載の補聴システム。
【発明の詳細な説明】
【０００１】
【発明の属する技術分野】
本発明は、マイクロフォン（以下、「マイク」と略する）で収集された音を骨伝導スピーカにより使用者に伝達する補聴システムに関する。
【０００２】
【従来の技術】
従来、難聴者の聴力を補助するための補聴システムが知られている。このような補聴システムの１つとして、ワイヤレス補聴システムが既に市販されている（例えば、松下通信工業株式会社製ワイヤレス補聴システムＷＨ−ＡＸ２０１、ＷＨ−ＡＸ１００１、ＷＨ−ＴＸ１００）。
【０００３】
このワイヤレス補聴システムは、補聴レシーバと送信機とから構成されている。補聴レシーバは、本体に収納された内蔵マイクと、コードによって本体に接続されたイヤホンとを備えており、近くの音を聴くときは、補聴レシーバを単独で補聴器として使用できるようになっている。また、補聴レシーバは、マイクを備えた送信機からの電波を受信する受信機能を備えている。
【０００４】
送信機はマイクを備えており、このマイクで集音することにより得られた音信号を電波により補聴レシーバに送信する。従って、遠くの音を聴くときは、送信機のマイクで集音された音を補聴レシーバで受信してイヤホンで聴くことができる。
【０００５】
このように構成されるワイヤレス補聴システムでは、補聴レシーバのイヤホンはコードによって本体に接続されているので、装着した場合に使用者にとって煩わしいという問題があり、普及の妨げになっている。
【０００６】
また、このワイヤレス補聴システムでは、使用者に情報を伝達するために、音波により音を伝達するイヤホンを用いている。従って、雑音を拾ったりハウリングを起こすので、利用者に負担が多く、疲れやすいと指摘されている。
【０００７】
この問題を解消するために、近年、骨伝導スピーカを用いた骨伝導式の補聴器が実用化され、市場に提供されている（株式会社フジコウ製、商品名「ハイパーリンク」）。この骨伝導スピーカは、例えば特許文献１に開示されているように、ボイスコイルによって振動する振動板の振動を骨組織に伝達させることにより音声を聴取させる。この補聴器は、本体のマイクで集音することにより得られた音信号をケーブルによって骨伝導スピーカに伝え、情報の伝達を行うように構成されている。
【０００８】
【特許文献１】
特許２９６７７７７号
【０００９】
【発明が解決しようとする課題】
しかしながら、この骨伝導式の補聴器は、上述したワイヤレス補聴システムと同様に、骨伝導スピーカがコードによってマイクを含む本体に接続されているので、装着した場合に使用者にとって煩わしいという問題は解決されていない。
【００１０】
本発明は、上述した問題を解消するためになされたものであり、その課題は、良好な装用感が得られる補聴システムを提供することにある。
【００１１】
【課題を解決するための手段】
本発明に係る補聴システムは、上記課題を達成するために、マイクロフォンで集音することにより得られた音信号を無線信号として送信する携行可能なマイク付無線送信機と、携行可能なヘッドセットとを備え、ヘッドセットは、マイク付無線送信機からの無線信号を受信して音信号を再生する無線受信機と、無線受信機で再生された音信号に基づいて駆動される骨伝導スピーカとを備えることを特徴とする。
【００１２】
この補聴システムによれば、マイクロフォンで集音することにより得られた音信号が無線で無線受信機に送られて骨伝導スピーカにより使用者に伝達されるので、補聴システムの装着に伴う煩わしさがなく、良好な装用感が得られる。また、マイクロフォンで集音された音は骨伝導スピーカを用いて使用者に伝達されるので、その特長であるソフトな情報伝達が可能になり、使用者に優しい補聴システムを提供できる。
【００１３】
また、本発明に係る補聴システムは、情報ソース機器からの音信号を無線信号として前記無線受信機に送信する情報送信機を更に備えて構成することができる。この構成によれば、情報送信機を所定の場所に設置し、情報ソース機器として例えばマイクロフォンを接続すれば、マイク付無線送信機がなくても、所定の場所の係員との会話を行うことができる。また、情報送信機を所定の場所に設置し、情報ソース機器として例えば案内装置を接続すれば、マイク付無線送信機がなくても、案内装置からの音声を聞くことができる。
【００１４】
また、本発明に係る補聴システムで使用される骨伝導スピーカは、無線受信機で再生された音信号に応じて形状が変位する超磁歪素子により振動するように構成できる。この構成によれば、従来のボイスコイルを用いた骨伝導スピーカに比べて音質が良好であり、使用者にとって聴きやすいという利点がある。
【００１５】
【発明の実施の形態】
以下、本発明の実施の形態を図面を参照しながら詳細に説明する。
【００１６】
（第１の実施の形態）
図１は、本発明の第１の実施の形態に係る補聴システムの構成を示す図である。この補聴システムは、大きく分けると、ヘッドセット１とマイク付無線送信機４０とから構成されている。
【００１７】
ヘッドセット１は、フレーム２に取り付けられた無線受信機１０、左骨伝導スピーカ２０ａ、右骨伝導スピーカ２０ｂ及び電池３０から構成されている。フレーム２は、詳細な構造は図示を省略するが、使用者の頭の形状にフィットできるように伸縮自在に構成されている。
【００１８】
無線受信機１０は、マイク付無線送信機４０から送られてくる電波を受信して復調することにより音信号を再生し、左骨伝導スピーカ２０ａ及び右骨伝導スピーカ２０ｂに送る。この無線受信機１０の電気的な構成は後述する。この無線受信機１０には、音量調整つまみ１１が設けられており、右骨伝導スピーカ２０ａ及び左骨伝導スピーカ２０ｂの各出力を調整できるようになっている。無線受信機１０の電源は、電池３０から供給される。なお、電池３０は、無線受信機１０に内蔵させることもできる。
【００１９】
右骨伝導スピーカ２０ａ及び左骨伝導スピーカ２０ｂは同一の構造を有する。従って、以下では、単に、「骨伝導スピーカ２０」として説明する。この骨伝導スピーカ２０は、図２の断面図に示すように、円筒状のハウジング２１の中空部に収納されたストッパー２２、磁石２３、超磁歪素子２４、コイル２５、伝達材２６、バネ２７及び保持材２８から構成されている。
【００２０】
ハウジング２１は、例えば外径１０φ、内径７φ、長さが３９ｍｍ程度の大きさを有する円筒状のスチロールパイプから構成されている。ストッパー２２は、７φ×１５ｍｍ程度の円柱状のフェライト材から構成されており、その一方の端部には高さが２ｍｍ程度の円柱状の突起部２２ａが形成されている。このストッパー２２は、ハウジング２１の一方の端部に固着されている。
【００２１】
超磁歪素子２４は、例えば２φ×８ｍｍ程度の円柱形状を有し、その両切断面に３φ×２ｍｍ程度の大きさを有する磁石２３を介在させて、ストッパー２２の突起部２２ａと伝達材２６との間に保持されている。超磁歪素子２４は、磁界を加えることにより生じる歪の変位量及び変化速度が、従来の磁歪材料に比べて大きく、発生応力も大きい磁性材料である。
【００２２】
この超磁歪素子２４の周囲には、円筒状に成形されたコイル２５が設けられている。このコイル２５は、磁界を発生させて超磁歪素子２４を駆動するために使用される。伝達材２６は、例えば３．８φ×１０ｍｍ程度の円筒状に構成された黄銅から構成されており、一方の端面に６φ程度の鍔２６ａを有する。
【００２３】
ハウジング２１の他方の端部には、例えば外径７φ、内径４φ、長さが６ｍｍ程度の円筒状のフェノール材から構成された保持材２８が固着されており、その中空部に伝達材２６が緩挿されている。伝達材２６の鍔２６ａと保持材２８の切断面との間には例えばリン青銅から成るバネ２７が配置されており、伝達材２６、磁石２３及び超磁歪素子２４がストッパー２２の方向に押圧されている。伝達材２６の他方の端面は外部に露出しており、図示しないパッド等を介して使用者の頭部の一部に当接される。
【００２４】
このように構成された骨伝導スピーカ２０においては、無線受信機１０から出力される音信号がコイル２５に供給されることにより、コイル２５に電流が流れて磁界が発生し、超磁歪素子２４が音信号に応じて図中の上下方向に変位する。この超磁歪素子２４の変位が振動として使用者に伝達される。
【００２５】
マイク付無線送信機４０は、マイク４１を内蔵している。このマイク付無線送信機４０は、マイク４１で集音することにより得られた音信号を電波に変換して無線受信機１０に送信する。このマイク付無線送信機４０の電気的な構成は後述する。
【００２６】
図３は、無線受信機１０の電気的な構成を示すブロック図である。この無線受信機１０は、アンテナ１２ａ、高周波増幅器１２、周波数混合器１３、水晶局部発振器１４、逓倍増幅器１５、第１中間周波増幅器１６、狭帯域ＦＭ−ＩＦ回路１７、低周波増幅器１８及び低周波パワー増幅器１９から構成されている。低周波パワー増幅器１９の出力に、左骨伝導スピーカ２０ａ及び右骨伝導スピーカ２０ｂが接続されている。
【００２７】
アンテナ１２ａで受信された電波は、高周波信号に変換されて高周波増幅器１２に送られる。高周波増幅器１２は、アンテナ１２ａからの高周波信号を増幅して周波数混合器１３に送る。一方、水晶局部発振器１４は、所定周波数で発振する信号を生成し、逓倍増幅器１５に送る。逓倍増幅器１５は、水晶局部発振器１４からの信号を逓倍及び増幅して周波数混合器１３に送る。
【００２８】
周波数混合器１３は、高周波増幅器１２からの高周波信号と逓倍増幅器１５からの信号とを混合して中間周波数を有する中間周波数信号に変換して第１中間周波増幅器１６に送る。第１中間周波増幅器１６は、周波数混合器１３からの中間周波数信号を増幅して狭帯域ＦＭ−ＩＦ回路１７に送る。狭帯域ＦＭ−ＩＦ回路１７は、第１中間周波増幅器１６からの中間周波数を有する信号に対して、混合、制限増幅及びＦＭ検波を行って復調することにより音信号を取り出し、低周波増幅器１８に送る。
【００２９】
低周波増幅器１８は、狭帯域ＦＭ−ＩＦ回路１７からの音信号を増幅して低周波パワー増幅器１９に送る。低周波パワー増幅器１９は、音量調整つまみ１１の設定に応じた増幅率で低周波増幅器１８からの音信号を増幅し、左骨伝導スピーカ２０ａ及び右骨伝導スピーカ２０ｂに送る。これにより、使用者は、骨伝導により音声を聴くことができる。
【００３０】
図４は、マイク付無線送信機４０の電気的な構成を示すブロック図である。このマイク付無線送信機４０は、マイク４１、音声増幅器４２、ハウリング防止回路４３、周波数変調器４４、水晶発振器４５、緩衝増幅器４６、逓倍増幅器４７、逓倍増幅器４８、電力増幅器４９及びアンテナ４９ａから構成されている。アンテナ４９ａとしては、例えば短縮アンテナを用いることができる。
【００３１】
マイク４１は、集音により得られた音信号を音声増幅器４２に送る。音声増幅器４２は、マイク４１からの音信号を増幅してハウリング防止回路４３に送る。ハウリング防止回路４３は、音声増幅器４２からの音信号を検知して音声増幅器４２の増幅率を制御することによりハウリングを防止する。ハウリング防止回路４３から出力される信号は、周波数変調器４４に送られる。
【００３２】
周波数変調器４４は、ハウリング防止回路４３からの信号を周波数変調し、水晶発振器４５に送る。水晶発振器４５は、周波数変調器４４からの周波数変調された信号に応じた周波数で発振する信号を生成し、緩衝増幅器４６に送る。緩衝増幅器４６は、水晶発振器４５と負荷との結合をできるだけ疎にして負荷の変動の影響を排除し、水晶発振器４５の発振周波数を安定にするために設けられている。この緩衝増幅器４６の出力は、逓倍増幅器４７に送られる。
【００３３】
逓倍増幅器４７は、緩衝増幅器４６からの信号を逓倍して逓倍増幅器４８に送る。逓倍増幅器４８は、逓倍増幅器４７からの信号を更に逓倍して電力増幅器４９に送る。電力増幅器４９は、逓倍増幅器４８からの信号を電力増幅してアンテナ４９ａに送る。これにより、アンテナ４９ａから、マイク４１で入力された音信号が電波として送信される。
【００３４】
次に、このように構成された第１の実施の形態に係る補聴システムを難聴者が使用する場合の例を説明する。ヘッドセット１及びマイク付無線受信機４０は何れも難聴者が携行可能に構成されており、通常は、図５に示すように、ヘッドセット１は、難聴者の頭部に装着して使用される。この際、骨伝導スピーカ２０が難聴者の耳の前側に当接する状態又は耳の後側に当接する状態で装着することができる。また、マイク付無線送信機４０は、例えば難聴者のベルトに装着して使用される。なお、マイク付無線受信機４０は、例えばペンダントのように首にかけて使用するように構成することもできる。
【００３５】
この通常の使用態様によれば、ヘッドセット１の骨伝導スピーカ２０は難聴者の耳穴を塞がないので、疲れが少ないという利点がある。また、耳穴に挿入する従来の補聴器によれば、難聴者であることが一目瞭然であるので、ストレスが溜まるという問題があるが、ヘッドセット１を用いた場合は音楽を聴くスタイルと同じであるので、違和感がなく、そのような問題が生じにくい。
【００３６】
また、マイク付無線送信機４０は、図６に示すように、例えば家族といった複数人の輪の中心に置いて使用することもできる。この使用態様によれば、難聴者は家族全員の会話を同じ音量で聴くことができるので、一家団欒を楽しむことができる。
【００３７】
更に、マイク付無線送信機４０は、図７に示すように、例えばテレビジョン受像器（以下、「テレビ」と略する）のそばに置いて使用することもできる。この使用態様によれば、難聴者は何処にいてもテレビを鑑賞することができ、また、家族と会話しながらのテレビ鑑賞が可能になる。
【００３８】
次に、上述した補聴システムの使用手順を説明する。難聴者は、先ず、無線受信機１０の準備を行う。即ち、図８のフローチャートに示すように、まず、無線受信機１０の電源スイッチを入れる（ステップＳ１０）。
【００３９】
次に、ヘッドセット１を頭部に装着する（ステップＳ１１）。これにより、無線受信機１０は、マイク付無線送信機４０から送られてくる音を聴取できる状態になる（ステップＳ１２）。次に、音量調整つまみ１１を操作して音量を調整する（ステップＳ１３）。以上の準備が完了すると、以後、会話や各種音声を楽しむことができる。
【００４０】
次に、難聴者は、マイク付無線送信機４０の準備を行う。即ち、図９のフローチャートに示すように、まず、アンテナ４９ａを装着する（ステップＳ２０）。次に、マイク付無線送信機４０の電源スイッチを入れる（ステップＳ２１）。これにより、マイク付無線送信機４０からの送信が開始される。
【００４１】
次に、少人数との会話であれば（ステップＳ２２のＹＥＳ）、通常の使用態様で使用するべく、マイク付無線受信機４０をベルト等に装着する（ステップＳ２３）。以後、難聴者は、少人数との会話や各種音声を楽しむことができる。
【００４２】
一方、少人数との会話でなく（ステップＳ２２のＮＯ）、テーブルを囲んでの会話等であれば（ステップＳ２４のＹＥＳ）、会話の中心にマイク付無線送信機４０を置く（ステップＳ２５）。以後、難聴者は、例えば家族のような多人数との会話や各種音声を楽しむことができる。
【００４３】
テーブルを囲んでの会話等でなく（ステップＳ２４のＮＯ）、例えば家でテレビを視聴する場合であれば（ステップＳ２６）、テレビの近くにマイク付無線送信機４０を置く（ステップＳ２７）。以後、難聴者は、テレビの鑑賞が可能になる。
【００４４】
以上説明したように、本発明の第１の実施の形態に係る補聴システムによれば、マイク付無線送信機４０とヘッドセット１との間は無線で接続されているので、補聴システムの装着に伴う煩わしさがなく、良好な装用感が得られる。また、無線通信の導入により多様な情報に対応が可能になり、多くの環境や場面で、利用者が正確な情報を自ら容易に聴取できる。
【００４５】
また、マイク付無線送信機４０のマイク４１で集音された音は骨伝導スピーカ２０を用いて使用者に伝達されるので、ソフトな情報伝達が可能になり、使用者に優しい補聴システムを提供できる。また、骨伝導スピーカ２０の出力は、無線受信機１０に設けられた音量調整つまみ１１によって調整できるので、環境に素早く適応することができ、使用者のストレスを最小限に抑えることができる。
【００４６】
（第２の実施の形態）
本発明の第２の態様に係る補聴システムは、上述した第１の実施の形態に係る補聴システムに、更に、インタフェース付情報送信機を追加したものである。このインタフェース付情報送信機は、本発明の情報送信機に対応する。
【００４７】
図１０は、インタフェース付情報送信機５０の外観を示す図であり、図１０（Ａ）は前面から見た斜視図、図１０（Ｂ）は背面から見た斜視図である。インタフェース付情報送信機５０は、前面パネルに設けられた情報ソース選択スイッチ５１及び音量調整つまみ５２、背面パネルに設けられたソース入力端子５３及びマイク入力端子５４、並びに筐体上面に設けられたアンテナ５５を備えている。なお、インタフェース付情報送信機５０は、図示しない内蔵コンデンサマイクを備えており、マイク入力端子５４にマイクが接続されない場合は、この内蔵コンデンサマイクが使用される。
【００４８】
情報ソース選択スイッチ５１は、複数の情報ソースの中から１つを選択するために使用される。情報ソースとして、「ダイナミックマイク」、「コンデンサマイク」、「ＴＶ、ＭＤ、パソコン」及び「ＰＡ」の何れかを選択できるようになっている。音量調整つまみ５２は、当該インタフェース付情報送信機５０から出力する音信号の大きさを調整するために使用される。
【００４９】
ソース入力端子５３は、テレビ（ＴＶ）、ＭＤ、パーソナルコンピュータ（パソコン）又はＰＡシステムから出力される音信号を入力するために使用される。マイク入力端子５４は、ダイナミックマイク又はコンデンサマイクからの音信号を入力するために使用される。
【００５０】
図１１は、インタフェース付情報送信機５０の電気的な構成を示すブロック図である。このインタフェース付情報送信機５０は、マイク６０、情報ソース機器６１、情報ソース選択スイッチ（ＳＷ）５１、音声増幅器６２、周波数変調器６３、水晶発振器６４、緩衝増幅器６５、逓倍増幅器６６、逓倍増幅器６７、電力増幅器６８、音量調整つまみ５２、アンテナ５５及び電池６９から構成されている。アンテナ５５としては、例えば短縮アンテナを用いることができる。
【００５１】
マイク６０は、例えばダイナミックマイク又はコンデンサマイクから構成されており、マイク入力端子５４に接続される。このマイク６０で集音することにより得られた音信号は情報ソース選択スイッチ５１に送られる。情報ソース機器６１は、例えばテレビ、パーソナルコンピュータ、ＭＤ、ＰＡから構成されている。なお、情報ソース機器６１としては、上記以外に放送装置、拡声装置、構内案内装置、各種電話機、非常放送装置等といった機器を使用できる。この情報ソース機器６１は、ソース入力端子５３に接続される。この情報ソース機器６１から出力される音信号は、情報ソース選択スイッチ５１に送られる。
【００５２】
情報ソース選択スイッチ５１は、マイク入力端子５４から入力されたダイナミックマイクの出力、コンデンサマイクの出力、ソース入力端子５３から入力されたテレビ（ＴＶ）の出力、ＭＤの出力、パーソナルコンピュータ（パソコン）の出力及びＰＡシステムの出力の何れかを選択して音声増幅器６２に送る。音声増幅器４２は、情報ソース選択スイッチ５１からの音信号を増幅して周波数変調器６３に送る。
【００５３】
周波数変調器６３は、音声増幅器６２からの信号を周波数変調し、水晶発振器６４に送る。水晶発振器６４は、周波数変調器６３からの周波数変調された信号に応じた周波数で発振する信号を生成し、緩衝増幅器６５に送る。緩衝増幅器６５は、水晶発振器４５と負荷との結合をできるだけ疎にして負荷の変動の影響を排除し、水晶発振器６４の発振周波数を安定にするために設けられている。この緩衝増幅器６５の出力は、逓倍増幅器６６に送られる。
【００５４】
逓倍増幅器６６は、緩衝増幅器６５からの信号を逓倍して逓倍増幅器６７に送る。逓倍増幅器６７は、逓倍増幅器６６からの信号を更に逓倍して電力増幅器６８に送る。電力増幅器６８は、逓倍増幅器６７からの信号を、音量調整つまみ５２の設定に応じた増幅率で電力増幅してアンテナ５５に送る。これにより、アンテナ５５から、マイク６０又は情報ソース機器６１から入力された音信号が電波として送信される。
【００５５】
次に、こののように構成された第２の実施の形態に係る補聴システムを難聴者が使用する場合の例を説明する。難聴者はヘッドセット１のみを装着し、マイク６０が接続されたインタフェース付情報送信機５０が、例えば役場等といった行政機関や病院の窓口に設置される。窓口担当者と難聴者の会話は、マイク６０からインタフェース付情報送信機５０を介してヘッドセット１の無線受信機１０に送信される音信号を用いて行われる。また、インタフェース付情報送信機５０に、例えば博物館などの案内装置を接続し、案内装置からインタフェース付情報送信機５０を介してヘッドセット１の無線受信機１０に送信される音信号を用いて案内が行われる。
【００５６】
次に、上述した補聴システムの使用手順を説明する。無線受信機１０の準備（図８のフローチャート参照）及びマイク付情報送信機４０の準備（図９のフローチャート参照）を行う手順は、上述した第１の実施の形態の場合と同じである。但し、図１２のフローチャート（図９と同一の部分には同一の符号を付してある）に示すように、テーブルを囲んでの会話等でなく（ステップＳ２４のＮＯ）、例えばインタフェース付情報送信機５０の情報を聞く場合であれば（ステップＳ２８）、マイク付情報送信機４０の電源を切る（ステップＳ２９）。以後、難聴者は、インタフェース付情報送信機５０の各種案内や情報を聞くことが可能になる。
【００５７】
インタフェース付情報送信機５０の準備は次のようにして行われる。即ち、図１３のフローチャートに示すように、まず、情報ソースがマイクであって（ステップＳ３０のＹＥＳ）、且つ、内蔵コンデンサマイクであれば（ステップＳ３１のＹＥＳ）、手順はステップＳ３８に進む。
【００５８】
一方、情報ソースがマイクであって（ステップＳ３０のＹＥＳ）、且つ、内蔵コンデンサマイクでなければ（ステップＳ３１のＮＯ）、マイクの型式が調べられる（ステップＳ３２）。そして、コンデンサマイク（ステップＳ３３）又はダイナミックマイク（ステップＳ３４）であれば、そのマイクはインタフェース付情報送信機５０のマイク入力端子５４に接続される（ステップＳ３５）。その後、手順はステップＳ３８に進む。
【００５９】
情報ソースがマイクでない、つまり情報ソース機器６１であれば（ステップＳ３０のＮＯ）、接続コードの一方の端部がインタフェース付情報送信機５０に接続され（ステップＳ３６）、他方の端部が情報ソース機器６１に接続される（ステップＳ３７）。その後、手順はステップＳ３８に進む。
【００６０】
ステップＳ３８では、情報ソース選択スイッチ５１を操作して所望の情報ソースを選択するように設定する。そして、会場に合わせたアンテナを用意する（ステップＳ３９）。ここで、インタフェース付情報送信機５０を設置する場所が広い会場でなければ（ステップＳ４０のＮＯ）、通常のアンテナ５５をインタフェース付情報送信機５０に接続する（ステップＳ４１）。一方、広い会場であれば、複数の広エリア用アンテナの中から該会場に好適なものを選択し（ステップＳ４２）、選択したアンテナをインタフェース付情報送信機５０に接続する（ステップＳ４３）。
【００６１】
以上の作業が完了すると、電源スイッチを入れる（ステップＳ４４）。これにより、送信が開始されるので、音量調整つまみ５２を操作してボリュームを適当な値に設定する（ステップＳ４５）。以上により、情報送信の準備が完了し、ヘッドセット１を装着した難聴者は、インタフェース付情報送信機５０からの情報を受信することができる。
【００６２】
以上説明したように、本発明の第２の実施の形態に係る補聴システムによれば、インタフェース付情報送信機５０に放送装置、拡声装置、テレビ、構内案内装置、各種電話機、非常放送装置等といった情報ソース機器を接続することにより、従来困難とされてきた、難聴者が映画館や演芸場等の音声、講演会の講演者の説明、会議、学校や教習所等の説明や音声を、難聴者の着席位置に拘わらず、聴取することができる。特に、劇場、講演会場、教室等においてインタフェース付情報送信機５０を使用することにより、健常者に全く負担をかけずに難聴者に十分な情報を伝達する環境を構築できる。
【００６３】
また、現在の補聴器や有線式の補聴器では不可能な、多人数の難聴者への情報の伝達、特に数十ｍ離れた場所に居る難聴者に対して、情報伝達を十分に行うことができる。
【００６４】
【発明の効果】
以上詳述したように、本発明によれば、マイクロフォンで集音することにより得られた音信号が無線で無線受信機に送られて骨伝導スピーカにより使用者に伝達されるので、補聴システムの装着に伴う煩わしさがなく、良好な装用感が得られる。また、マイクロフォンで集音された音は骨伝導スピーカを用いて使用者に伝達されるので、ソフトな情報伝達が可能になり、使用者に優しい補聴システムを提供できる。
【図面の簡単な説明】
【図１】本発明の第１の実施の形態に係る補聴システムの構成を示す図である。
【図２】本発明の第１の実施の形態に係る補聴システムで使用される骨伝導スピーカの構造を示す断面図である。
【図３】本発明の第１の実施の形態に係る補聴システムで使用される無線受信機の電気的な構成を示すブロック図である。
【図４】本発明の第１の実施の形態に係る補聴システムで使用されるマイク付無線送信機の電気的な構成を示すブロック図である。
【図５】本発明の第１の実施の形態に係る補聴システムの通常の使用形態を説明するための図である。
【図６】本発明の第１の実施の形態に係る補聴システムの他の使用形態を説明するための図である。
【図７】本発明の第１の実施の形態に係る補聴システムの更に他の使用形態を説明するための図ある。
【図８】本発明の第１の実施の形態に係る補聴システムの無線受信機の準備の手順を説明するための図である。
【図９】本発明の第１の実施の形態に係る補聴システムのマイク付無線送信機の準備の手順を説明するための図である。
【図１０】本発明の第２の実施の形態に係る補聴システムで使用されるインタフェース付情報送信機を示す外観図である。
【図１１】本発明の第２の実施の形態に係る補聴システムで使用されるインタフェース付情報送信機の電気的な構成を示すブロック図である。
【図１２】本発明の第２の実施の形態に係る補聴システムのマイク付無線送信機の準備の手順を説明するための図である。
【図１３】本発明の第２の実施の形態に係る補聴システムのインタフェース付情報送信機の準備の手順を説明するための図である。
【符号の説明】
１  ヘッドセット
２  フレーム
１０  無線受信機
１１  音量調整つまみ
２０  骨伝導スピーカ
２０ａ  左骨伝導スピーカ
２０ｂ  右骨伝導スピーカ
３０  電池
４０  マイク付無線送信機
４１  マイク
【図１】
2004343446.tif 000003
【図２】
2004343446.tif 000004
【図３】
2004343446.tif 000005
【図４】
2004343446.tif 000006
【図５】
2004343446.tif 000007
【図６】
2004343446.tif 000008
【図７】
2004343446.tif 000009
【図８】
2004343446.tif 000010
【図９】
2004343446.tif 000011
【図１０】
2004343446.tif 000012
【図１１】
2004343446.tif 000013
【図１２】
2004343446.tif 000014
【図１３】
2004343446.tif 000015